(57)【特許請求の範囲】
【請求項１】
建物躯体に残存した既設枠の内周側に新設枠が設置される改装サッシであって、
前記既設枠の既設下枠と前記新設枠の新設下枠との間には、下枠支持金具が配置され、
前記下枠支持金具は、前記新設下枠を支持する支持部材と、前記支持部材に取り付けられる調整部材とを備え、
前記支持部材は、見込み片部と、取付片部とを有し、
前記調整部材は、その第一当接辺が前記既設下枠に当接する第一取付向きで前記取付片部に上下方向に位置調整可能に取り付けられる第一取付状態と、当該調整部材の第二当接辺が前記既設下枠に当接する第二取付向きで前記取付片部に上下方向に位置調整可能に取り付けられる第二取付状態とを切替え可能に構成され、
前記第一取付状態における前記取付片部の下辺から前記第一当接辺までの最大寸法は、前記第二取付状態における前記取付片部の下辺から前記第二当接辺までの最大寸法よりも長い寸法とされる
ことを特徴とする改装サッシ。
【請求項２】
請求項１に記載の改装サッシにおいて、
前記第一取付状態における前記取付片部の下辺から前記第一当接辺までの最小寸法は、前記第二取付状態における前記取付片部の下辺から前記第二当接辺までの最大寸法以下の寸法とされる
ことを特徴とする改装サッシ。
【請求項３】
請求項１または請求項２に記載の改装サッシにおいて、
前記取付片部には、取付ねじが挿通する上下方向に沿った調整長孔が形成され、
前記調整部材には、前記取付ねじが螺合する第一取付孔および第二取付孔が形成され、
前記取付ねじが前記調整長孔を挿通して前記第一取付孔に螺合した状態では、前記調整部材は第一取付向きに配置され、
前記取付ねじが前記調整長孔を挿通して前記第二取付孔に螺合した状態では、前記調整部材は前記第二取付向きに配置される
ことを特徴とする改装サッシ。
【請求項４】
請求項３に記載の改装サッシにおいて、
前記取付片部の上辺および下辺は平行であり、
前記調整部材は矩形板状に形成され、
前記調整部材の短辺によって前記第一当接辺が構成され、
前記調整部材の長辺によって前記第二当接辺が構成される
ことを特徴とする改装サッシ。
【請求項５】
請求項３または請求項４に記載の改装サッシにおいて、
前記調整長孔は、前記取付片部に二つ形成され、
前記調整部材には、三つの螺合孔が形成され、
前記第一取付孔は、前記三つの螺合孔のうち前記第一当接辺に平行な方向に沿って位置する二つの螺合孔によって構成され、
前記第二取付孔は、前記三つの螺合孔のうち前記第二当接辺に平行な方向に沿って位置する二つの螺合孔によって構成され、
前記第一取付孔および前記第二取付孔は、前記三つの螺合孔のうちの一つの螺合孔を共用する
ことを特徴とする改装サッシ。
【請求項６】
請求項１から請求項５のいずれか一項に記載の改装サッシにおいて、
前記支持部材の取付片部には、前記調整部材に固定される固定具が挿通可能な挿通孔が形成される
ことを特徴とする改装サッシ。
【請求項７】
請求項１から請求項６のいずれか一項に記載の改装サッシにおいて、
前記新設下枠には、前記既設下枠および前記下枠支持金具を室外側から覆うカバー材が取外し可能に取り付けられる
ことを特徴とする改装サッシ。
【請求項８】
建物躯体に残存した既設枠の内周側に新設枠が設置される改装サッシであって、
前記新設枠の新設下枠は見付け片部を有し、
前記見付け片部には、調整金具が取り付けられ、
前記調整金具は、その第一当接辺が前記既設枠の既設下枠に当接する第一取付向きで前記見付け片部に上下方向に位置調整可能に取り付けられる第一取付状態と、当該調整金具の第二当接辺が前記既設下枠に当接する第二取付向きで前記見付け片部に上下方向に位置調整可能に取り付けられる第二取付状態とを切替え可能に構成され、
前記第一取付状態における前記見付け片部の下辺から前記第一当接辺までの最大寸法は、前記第二取付状態における前記見付け片部の下辺から前記第二当接辺までの最大寸法よりも長い寸法とされる
ことを特徴とする改装サッシ。
【請求項９】
請求項８に記載の改装サッシにおいて、
前記調整金具には、前記第一当接辺に直交する方向に沿った第一長孔部と、前記第二当接辺に直交する方向に沿った第二長孔部とが形成されている
ことを特徴とする改装サッシ。
【請求項１０】
請求項８または請求項９に記載の改装サッシにおいて、
前記新設下枠には、前記調整金具を室外側から覆うカバー材が取外し可能に取り付けられる
ことを特徴とする改装サッシ。
【発明の詳細な説明】
【技術分野】
【０００１】
本発明は、建物躯体に取り付けられた既設サッシの既設枠を残存し、既設枠の内周側に新設サッシを設置して構成される改装サッシに関する。
【背景技術】
【０００２】
従来、既設サッシの既設サッシ枠を建物躯体に残存し、既設サッシ枠の内周側に新設サッシを設置することで改装サッシを構成することが知られている（特許文献１参照）。既設サッシ枠は、既設上枠、既設下枠および左右の既設縦枠が枠組みされて構成されている。新設サッシ枠は、新設上枠、新設下枠および左右の新設縦枠が枠組みされて構成されている。
【０００３】
既設下枠には下部下地材が設けられ、この下部下地材に新設下枠が取り付けられる。下部下地材は、既設下枠の下レールに取り付けられる取付部と、この取付部に上下方向に位置調整自在に取り付けられる下枠ベースとを備えている。
下枠ベースは、横板と、横板の室外縁部から垂下した縦板とを備えている。横板は既設下枠の室内側部に載せて窓台にねじ止めされる。縦板には、上下方向に沿った長孔が形成されており、この長孔から調整ねじを前述した取付部に螺合することで、下枠ベースを取付部に固着する。この調整ねじを緩めた場合には、下レールに取り付けられた取付部に対して下枠ベースを上下方向に位置調整可能となる。
【先行技術文献】
【特許文献】
【０００４】
【特許文献１】特許第４０９３４１７号公報
【発明の概要】
【発明が解決しようとする課題】
【０００５】
しかし、特許文献１に記載の改装サッシでは、下枠ベースの上下方向の位置調整幅は、縦板に形成された長孔の上下方向における長さ寸法内に制限されるので、長孔の長さ寸法を超えて、下枠ベースを取付部に対して上下方向に位置調整することはできない。
このため、下枠ベースの取付部に対する上下方向の位置を最大幅に調整しても、取付部が下レールに対する取付位置までとどかないほどに、既設下枠の室内側部（室内部分）と下レール（室外部分）との上下方向における段差が大きい場合には、下部下地材を既設下枠に取り付けることが困難である。
【０００６】
本発明の目的は、既設下枠の室内部分と室外部分との上下方向における段差に対応して新設下枠を設置できる改装サッシを提供することにある。
【課題を解決するための手段】
【０００７】
本発明の改装サッシは、建物躯体に残存した既設枠の内周側に新設枠が設置される改装サッシであって、前記既設枠の既設下枠と前記新設枠の新設下枠との間には、下枠支持金具が配置され、前記下枠支持金具は、前記新設下枠を支持する支持部材と、前記支持部材に取り付けられる調整部材とを備え、前記支持部材は、見込み片部と、取付片部とを有し、前記調整部材は、その第一当接辺が前記既設下枠に当接する第一取付向きで前記取付片部に上下方向に位置調整可能に取り付けられる第一取付状態と、当該調整部材の第二当接辺が前記既設下枠に当接する第二取付向きで前記取付片部に上下方向に位置調整可能に取り付けられる第二取付状態とを切替え可能に構成され、前記第一取付状態における前記取付片部の下辺から前記第一当接辺までの最大寸法は、前記第二取付状態における前記取付片部の下辺から前記第二当接辺までの最大寸法よりも長い寸法とされることを特徴とする。
【０００８】
本発明の改装サッシによれば、調整部材の第一取付向きで支持部材の取付片部に取り付けた第一取付状態では、取付片部の下辺から第一当接辺までの最大寸法分だけ調整部材を取付片部から下方に位置調整できる。
一方、調整部材の第二取付向きで支持部材の取付片部に取り付けた第二取付状態では、取付片部の下辺から第二当接辺までの最大寸法分だけ調整部材を取付片部から下方に位置調整できる。
ここで、第一取付状態における前記最大寸法は第二取付状態における前記最大寸法よりも長いので、第一取付状態では第二取付状態よりも調整部材をさらに下方に位置調整できる。このため、第二取付状態で調整部材を最下方まで位置調整しても、第二当接辺が既設下枠の室外部分にとどかないほどに、既設下枠の室内部分と室外部分との上下方向における段差が大きい場合であっても、第一取付状態とすることで、第一当接辺を既設下枠に当接できる。これにより、下枠支持金具を既設下枠上に設置できて新設下枠を支持でき、既設下枠の室内部分と室外部分との段差に対応して新設下枠を設置できる。
【０００９】
本発明の改装サッシでは、前記第一取付状態における前記取付片部の下辺から前記第一当接辺までの最小寸法は、前記第二取付状態における前記取付片部の下辺から前記第二当接辺までの最大寸法以下の寸法とされることが好ましい。
このような構成によれば、第一取付向きにおける調整部材の位置調整可能な範囲と第二取付向きにおける調整部材の位置調整可能な範囲との間から位置調整できない範囲をなくすことができる。このため、既設下枠の歪み等に対応して調整部材の第一取付向きと第二取付向きとを切替えても、当該既設下枠の歪み等に対応して調整部材を適切な上下位置に位置調整できる。
【００１０】
本発明の改装サッシでは、前記取付片部には、取付ねじが挿通する上下方向に沿った調整長孔が形成され、前記調整部材には、前記取付ねじが螺合する第一取付孔および第二取付孔が形成され、前記取付ねじが前記調整長孔を挿通して前記第一取付孔に螺合した状態では、前記調整部材は第一取付向きに配置され、前記取付ねじが前記調整長孔を挿通して前記第二取付孔に螺合した状態では、前記調整部材は前記第二取付向きに配置されることが好ましい。
このような構成によれば、調整部材の第一取付孔および第二取付孔に螺合する取付ねじを上下方向に沿った調整長孔に挿通するので、取付ねじを緩めた状態では、調整部材を第一取付向きまたは第二取付向きのままで取付片部に対して上下方向に位置調整できる。また、取付ねじを締めた状態では、調整部材を取付片部に不動に固定できる。
【００１１】
本発明の改装サッシでは、前記取付片部の上辺および下辺は平行であり、前記調整部材は矩形板状に形成され、前記調整部材の短辺によって前記第一当接辺が構成され、前記調整部材の長辺によって前記第二当接辺が構成されることが好ましい。
このような構成によれば、第一取付向きでは調整部材の各短辺が取付片部の上辺および下辺と平行に配置され、第二取付向きでは調整部材の各長辺が取付片部の上辺および下辺と平行に配置される。このため、調整部材の短辺や長辺が取付片部の上辺および下辺に対して傾いて配置される場合と比べて、上下方向に沿って長く延びた調整長孔を形成でき、調整部材の上下方向の位置調整範囲を拡げることができる。
また、第二取付向きでは調整部材の各長辺が取付片部の上辺および下辺と平行に配置されるので、調整部材を調整長孔に沿って上方に位置調整することで取付片部の下辺よりも下方に突出させずに収めることができる。
【００１２】
本発明の改装サッシでは、前記調整長孔は、前記取付片部に二つ形成され、前記調整部材には、三つの螺合孔が形成され、前記第一取付孔は、前記三つの螺合孔のうち前記第一当接辺に平行な方向に沿って位置する二つの螺合孔によって構成され、前記第二取付孔は、前記三つの螺合孔のうち前記第二当接辺に平行な方向に沿って位置する二つの螺合孔によって構成され、前記第一取付孔および前記第二取付孔は、前記三つの螺合孔のうちの一つの螺合孔を共用することが好ましい。
このような構成によれば、第一取付孔と第二取付孔とで螺合孔を共用することで、調整部材に形成される螺合孔の数を削減でき、孔加工を簡略化でき、また、調整部材の剛性を向上できる。
【００１３】
本発明の改装サッシでは、前記支持部材の取付片部には、前記調整部材に固定される固定具が挿通可能な挿通孔が形成されることが好ましい。
このような構成によれば、調整部材の位置調整後、固定具を取付片部の挿通孔に挿通して調整部材に固定することで、調整部材を取付片部へ不動に固定できる。
【００１４】
本発明の改装サッシでは、前記新設下枠には、前記既設下枠および前記下枠支持金具を室外側から覆うカバー材が取外し可能に取り付けられることが好ましい。
このような構成によれば、既設枠の内周側に新設枠が設置された後であっても、カバー材を新設下枠から取り外すことで、下枠支持金具を室外側に露出でき、この下枠支持金具を操作して調整部材の取付向きの変更や位置調整を簡単に行うことができる。
【００１５】
本発明の改装サッシでは、建物躯体に残存した既設枠の内周側に新設枠が設置される改装サッシであって、前記新設枠の新設下枠は見付け片部を有し、前記見付け片部には、調整金具が取り付けられ、前記調整金具は、その第一当接辺が前記既設枠の既設下枠に当接する第一取付向きで前記見付け片部に上下方向に位置調整可能に取り付けられる第一取付状態と、当該調整金具の第二当接辺が前記既設下枠に当接する第二取付向きで前記見付け片部に上下方向に位置調整可能に取り付けられる第二取付状態とを切替え可能に構成され、前記第一取付状態における前記見付け片部の下辺から前記第一当接辺までの最大寸法は、前記第二取付状態における前記見付け片部の下辺から前記第二当接辺までの最大寸法よりも長い寸法とされることを特徴とする。
【００１６】
本発明の改装サッシによれば、調整金具を第一取付向きで新設下枠の見付け片部に取り付けた第一取付状態では、新設下枠の見付け片部の下辺から第一当接辺までの最大寸法分だけ調整金具を上下方向に位置調整できる。
一方、調整金具を第二取付向きで新設下枠の見付け片部に取り付けた第二取付状態では、新設下枠の見付け片部の下辺から第二当接辺までの最大寸法分だけ調整金具を上下方向に位置調整できる。
ここで、第一取付状態における前記最大寸法は第二取付状態における前記最大寸法よりも長いので、第一取付状態では第二取付状態よりも調整金具をさらに下方に位置調整できる。このため、第二取付状態で調整金具を最下方まで位置調整しても、第二当接辺が既設下枠の室外部分にとどかないほどに、既設下枠の室内部分と室外部分との上下方向における段差が大きい場合であっても、第一取付状態とすることで、第一当接辺を既設下枠に当接できる。これにより、調整金具を既設下枠上に設置できて新設下枠を支持でき、既設下枠の室内部分と室外部分との段差に対応して新設下枠を設置できる。
さらに、調整金具を新設下枠の見付け片部に取り付けるだけであるので、既設枠の内周側に新設枠を設置した後でも、調整金具の着脱や位置調整を行うことができる。
【００１７】
本発明の改装サッシでは、前記調整金具には、前記第一当接辺に直交する方向に沿った第一長孔部と、前記第二当接辺に直交する方向に沿った第二長孔部とが形成されていることが好ましい。
このような構成によれば、第一長孔部または第二長孔部に取付ねじを挿通して新設下枠の見付け片部にねじ込むことで、調整金具を第一取付向きまたは第二取付向きで上下方向に位置調整可能に取り付けることができる。
【００１８】
本発明の改装サッシでは、前記新設下枠には、前記調整金具を室外側から覆うカバー材が取外し可能に取り付けられることが好ましい。
このような構成によれば、既設枠の内周側に新設枠が設置された後であっても、カバー材を新設下枠から取り外すことで、調整金具を室外側に露出でき、この調整金具の取付向きの変更や位置調整を簡単に行うことができる。
【発明の効果】
【００１９】
本発明によれば、既設下枠の室内部分と室外部分との上下方向における段差に対応して新設下枠を設置できる改装サッシを提供できる。
【図面の簡単な説明】
【００２０】
【図１】本発明の第１実施形態に係る改装サッシを示す縦断面図。
【図２】第１実施形態に係る改装サッシを示す横断面図。
【図３】第１実施形態に係る改装サッシの下部構造を拡大して示す縦断面図。
【図４】第１実施形態に係る改装サッシの下部補強金具を示す斜視図。
【図５】本発明の第２実施形態に係る改装サッシの下部構造を拡大して示す縦断面図。
【図６】第２実施形態に係る改装サッシの下部補強金具を示す斜視図。
【図７】本発明の第３実施形態に係る改装サッシの下部構造を拡大して示す縦断面図。
【図８】前記第３実施形態に係る改装サッシの下部構造を示す斜視図。
【図９】前記第３実施形態に係る改装サッシの調整金具を示す説明図。
【発明を実施するための形態】
【００２１】
［第１実施形態］
以下、本発明の第１実施形態を図面に基づいて説明する。
図１〜３において、第１実施形態に係る改装サッシ１は、建物躯体２の開口部３に設置されるものである。
改装サッシ１の設置概要手順は次の通りである。先ず、既設サッシから既設パネル（図示省略）を取り外して既設枠１０を建物躯体２に固定した状態で残存させる。次に、残存させた既設枠１０の内周側に新設枠２０を設置し、続いて、新設枠２０内に新設パネルを配置する。このようにして、既設枠１０と、新設枠２０および新設パネルによって構成される新設サッシ４とを備える改装サッシ１を構成する。
【００２２】
既設枠１０は、本実施形態ではアルミ製の押出形材によって形成された既設上枠１１、既設下枠１２および左右の既設縦枠１３を枠組みして構成されている。
図１，２に示すように、既設上枠１１は建物躯体２のまぐさに固定されており、既設下枠１２は建物躯体２の窓台に固定されており、左右の既設縦枠１３は建物躯体２の柱にそれぞれ固定されている。
【００２３】
新設サッシ４は、本実施形態では引き違い窓によって構成されており、新設枠２０内には、二枚の新設パネルが左右方向に引き違い可能に配置されている。
新設枠２０は、本実施形態では樹脂製の押出形材によって形成された新設上枠２１、新設下枠２２および左右の新設縦枠２３を枠組みして構成されている。
【００２４】
図１に示すように、新設上枠２１は、建物躯体２のまぐさに固定された中間枠材３１にねじ止めされており、既設上枠１１の下方に配置されている。なお、中間枠材３１は、室外部分と室内部分とが断熱部材によって縁切りされている。また、既設上枠１１は、建物躯体２のまぐさに固定された取付金具３２にねじ止めされる上カバー材３３によって室外側からカバーされている。
【００２５】
図２に示すように、右側の新設縦枠２３は、建物躯体２の柱に固定された取付金具３５にねじ止めされている。取付金具３５には、室外部分と室内部分とが断熱部材によって縁切りされた中間枠材３６がねじ止めされている。また、中間枠材３６の室外部分には、既設縦枠１３をカバーするカバー部３６１が設けられている。
なお、図２に左側に示す既設縦枠１３、新設縦枠２３、取付金具３５および中間枠材３６は、右側に示す既設縦枠１３、新設縦枠２３、取付金具３５および中間枠材３６と同様に形成されており、左右逆向きに配置されているので、図に同符号を適宜付す。
【００２６】
［下部構造］
改装サッシ１の下部構造は、図３に示すように、既設下枠１２と、新設下枠２２と、既設下枠１２および新設下枠２２間に配置される下枠支持金具５０とによって構成されている。既設下枠１２には下枠支持金具５０が載置され、下枠支持金具５０には新設下枠２２が載置される。
【００２７】
既設下枠１２は、ホローを形成する中空枠部１２１と、中空枠部１２１の室内部分から立ち上げられた立上げ片部１２２と、中空枠部１２１から室内側に延出した室内延出片部１２３と、中空枠部１２１の下片部から垂下した垂下片部１２４と、中空枠部１２１から室外側へ延出した室外延出片部１２５と、中空枠部１２１から立ち上げられた内レール１２６および外レール１２７とを有している。
室外延出片部１２５および中空枠部１２１の連続部分にはビスホール部１２８が形成されており、室外延出片部１２５のうちビスホール部１２８に対して上方に位置する上面１２９で後述する調整部材６１が当接する。
【００２８】
中空枠部１２１の上片部には段部１２１Ａが形成されており、この段部１２１Ａによって当該上片部の室外部分の高さ位置が室内部分の高さ位置よりも低い位置とされる。立上げ片部１２２および内レール１２６は、上片部の段部１２１Ａよりも室内部分から立ち上げられており、外レール１２７は、上片部の段部１２１Ａよりも室外部分から立ち上げられている。立上げ片部１２２および内レール１２６の上端は外レール１２７の上端よりも高い位置にある。室外延出片部１２５の上面１２９は、中空枠部１２１の上片部の室外部分よりも低い位置にある。
【００２９】
新設下枠２２は、見込み片部２２１を有する中空枠部２２２と、中空枠部２２２の上側に形成された二つの凹溝形成部２２３とを有している。各凹溝形成部２２３には新設パネルの下框がそれぞれ配置される。
中空枠部２２２の室内部分は、建物躯体２の窓台に固定された固定金具４１にねじ止めされている。
【００３０】
見込み片部２２１の室外部分には、当該見込み片部２２１から室外側に突出したカバー取付部材７１がねじ止めされており、このカバー取付部材７１には、既設下枠１２および
下枠支持金具５０を室外側から覆うカバー材７２が取外し可能にねじ止めされている。
【００３１】
［下枠支持金具］
下枠支持金具５０は、図４に示すように、支持部材５１と、調整部材６１とを備えている。図３に示すように、支持部材５１は新設下枠２２を支持しており、調整部材６１は既設下枠１２に当接している。
【００３２】
支持部材５１は、図４（Ａ）、図４（Ｂ）に示すように、建物躯体２に固定される見込み片部５２と、見込み片部５２の室外部分から垂下した取付片部５３とを有して断面Ｌ字形状に形成されている。
見込み片部５２の室内部分には、固定孔５２１が形成されている。この固定孔５２１に挿通される固定ねじ９が建物躯体２の窓台にねじ込まれることで、支持部材５１の室内部分は建物躯体２に固定される。
【００３３】
取付片部５３は、本実施形態では矩形板状であって横長に形成されている。取付片部５３には、上下方向に沿った長さ寸法Ｌ１の二つの調整長孔５４Ａ，５４Ｂが形成されており、調整長孔５４Ａ，５４Ｂ間には、固定具としてのドリルねじ５５が挿通される丸穴等の挿通孔５６が形成されている。
この取付片部５３は、上辺５３１および下辺５３２が互いに平行であるとともに左右の縦辺５３３，５３４も互いに平行であり、各辺が直角に交わって長方形状に形成されている。
【００３４】
調整部材６１は、矩形板状に形成されており、具体的には、長辺６１１，６１２が互いに平行であるとともに左右の短辺６１３，６１４も互いに平行であり、各辺が直角に交わって長方形状に形成されている。
調整部材６１の長辺６１１，６１２は、取付片部５３の上辺５３１および下辺５３２よりも短く、調整部材６１の短辺６１３，６１４は、取付片部の縦辺５３３，５３４よりも短い。
調整部材６１の図４（Ｃ）に右側に示す短辺６１３によって第一当接辺が構成されており、長辺６１２によって第二当接辺が構成されている。
【００３５】
調整部材６１には、三つの螺合孔６２Ａ，６２Ｂ，６２Ｃが形成されている。
螺合孔６２Ａ，６２Ｂは、短辺６１３と平行な方向に沿って間隔を隔てて配置されている。螺合孔６２Ｂ，６２Ｃは、長辺６１２と平行な方向に沿って間隔を隔てて配置されている。ここで、螺合孔６２Ａ，６２Ｂを結ぶ仮想線と螺合孔６２Ｂ，６２Ｃを結ぶ仮想線との交差角は、長辺６１２と短辺６１３とがなす角度に対応した角度とされており、本実施形態では９０°とされる。
【００３６】
螺合孔６２Ａ，６２Ｂは、短辺６１３が横向きとされた調整部材６１の第一取付向き（縦長となる向き）で調整長孔５４Ａ，５４Ｂに挿通される各取付ねじ５７に螺合して取り付けられる第一取付孔６３を構成している。
螺合孔６２Ｂ，６２Ｃは、図４に示すように長辺６１２が横向きとされた調整部材６１の第二取付向き（横長となる向き）で調整長孔５４Ａ，５４Ｂに挿通される各取付ねじ５７に螺合して取り付けられる第二取付孔６４を構成している。
螺合孔６２Ｂは、第一取付孔６３と第二取付孔６４とに共用されている。
【００３７】
前述した調整部材６１は、第一当接辺である短辺６１３が既設下枠１２の室外延出片部１２５の上面１２９に当接する第一取付向きで取付片部５３に上下方向に位置調整可能に取り付けられる第一取付状態と、当該調整部材６１の第二当接辺である長辺６１２が既設下枠１２の室外延出片部１２５の上面１２９に当接する第二取付向きで取付片部５３に上
下方向に位置調整可能に取り付けられる第二取付状態（図４（Ａ）、図４（Ｂ）参照）とを切替え可能に構成される。
【００３８】
第一取付状態における取付片部５３の下辺５３２から調整部材６１の短辺６１３までの上下方向における最大寸法Ｌ２（図６（Ａ）参照）は、第二取付状態における取付片部５３の下辺５３２から調整部材６１の長辺６１２までの上下方向における最大寸法Ｌ３（図４（Ａ）参照）よりも長い寸法とされる。
また、第一取付状態における取付片部５３の下辺５３２から短辺６１３までの上下方向における最小寸法Ｌ４（図６（Ｂ）参照）は、第二取付状態における取付片部５３の下辺５３２から長辺６１２までの上下方向における最大寸法Ｌ３以下の寸法とされる。
なお、最大寸法Ｌ２，Ｌ３は、各取付ねじ５７を各調整長孔５４Ａ，５４Ｂの下端に配置した状態における寸法であり、最小寸法Ｌ４は、各取付ねじ５７を各調整長孔５４Ａ，５４Ｂの上端に配置した状態における寸法である。
【００３９】
以上の下枠支持金具５０は、支持部材５１の見込み片部５２が建物躯体２に固定されるとともに、取付片部５３に取り付けられた調整部材６１が建物躯体２の窓台の室外側に配置される既設下枠１２に当接することで、既設下枠１２上に設置される。
また、下枠支持金具５０の見込み片部５２は、新設下枠２２がねじ止めされた固定金具４１と、新設下枠２２にねじ止めされたカバー取付部材７１に当接している。これにより、新設下枠２２が固定金具４１およびカバー取付部材７１を介して下枠支持金具５０上に設置されており、下枠支持金具５０は新設サッシ４の鉛直荷重を支持する。
【００４０】
［下枠支持金具の施工手順］
以下、第１実施形態における下枠支持金具５０の施工手順を説明する。
なお、第１実施形態では、既設下枠１２の室内部分と室外部分との段差に対応して調整部材６１を第二取付向き（横長となる向き）で支持部材５１に取り付けることとする。
【００４１】
先ず、取付片部５３の調整長孔５４Ａ，５４Ｂに取付ねじ５７を挿通して調整部材６１の第二取付孔６４に螺合する。続いて、調整部材６１を最大限上方に配置して取付ねじ５７を締め付ける。これにより調整部材６１は取付片部５３の室内面側に収められた状態となる。
次に、支持部材５１を建物躯体２の窓台に固定する。固定後、各取付ねじ５７を緩めて調整部材６１を下方に位置調整し、当該調整部材６１の第二当接辺である長辺６１２を既設下枠１２の上面１２９に当接し、各取付ねじ５７を締めて調整部材６１を取付片部５３に取り付ける。そして、ドリルねじ５５を挿通孔５６に挿通して調整部材６１の板部分にねじ込むことで、調整部材６１を取付片部５３に強固に固定する。
このようにして、下枠支持金具５０を既設下枠１２の内周側に設置する。
【００４２】
［第２実施形態］
以下、本発明の第２実施形態を図面に基づいて説明する。
図５において、第２実施形態に係る改装サッシ１は、既設下枠１２の室内部分と室外部分との上下方向における段差が第１実施形態の改装サッシ１における当該段差よりも大きく形成されている構成を除き、第１実施形態の改装サッシ１と同様に構成されている。
【００４３】
第２実施形態の改装サッシ１では、既設下枠１２における前記段差に対応して、図６に示すように、下枠支持金具５０の取付向きが横長の第二取付向きではなく縦長の第一取付向きとされている。
このように、調整部材６１が第一取付向きに配置された第一取付状態では、取付片部５３の下辺５３２から調整部材６１の短辺６１３までの上下方向における最大寸法Ｌ２は、図４（Ａ）に示す最大寸法Ｌ３よりも長い寸法となる。
また、図６（Ｂ）に示す最小寸法Ｌ４は、図４（Ａ）に示す最大寸法Ｌ３以下の寸法となる。
【００４４】
第２実施形態における下枠支持金具５０の施工手順は、各取付ねじ５７を第二取付孔６４ではなく第一取付孔６３に螺合することを除き、第１実施形態における下枠支持金具５０の施工手順と同様である。
【００４５】
［第１、第２実施形態の効果］
（１）第１、第２実施形態では、改装サッシ１は、建物躯体２に残存した既設枠１０の内周側に新設枠２０が設置される改装サッシ１であって、既設枠１０の既設下枠１２と新設枠２０の新設下枠２２との間には、下枠支持金具５０が配置され、下枠支持金具５０は、新設下枠２２を支持する支持部材５１と、支持部材５１に取り付けられる調整部材６１とを備え、支持部材５１は、見込み片部５２と、取付片部５３とを有し、調整部材６１は、その短辺６１３（第一当接辺）が既設下枠１２に当接する第一取付向きで取付片部５３に上下方向に位置調整可能に取り付けられる第一取付状態（図５，６参照）と、当該調整部材６１の長辺６１２（第二当接辺）が既設下枠１２に当接する第二取付向きで取付片部５３に上下方向に位置調整可能に取り付けられる第二取付状態（図３，４参照）とを切替え可能に構成され、第一取付状態における取付片部５３の下辺５３２から短辺６１３までの最大寸法Ｌ２は、第二取付状態における取付片部５３の下辺５３２から長辺６１２までの最大寸法Ｌ３よりも長い寸法とされることを特徴とする。
上記構成を有するため、調整部材６１の第一取付向きで支持部材５１の取付片部５３に取り付けた第一取付状態では、取付片部５３の下辺５３２から短辺６１３までの最大寸法Ｌ２分だけ調整部材６１を取付片部５３から下方に位置調整できる。
一方、調整部材６１の第二取付向きで支持部材５１の取付片部５３に取り付けた第二取付状態では、取付片部５３の下辺５３２から長辺６１２までの最大寸法Ｌ３分だけ調整部材６１を取付片部５３から下方に位置調整できる。
ここで、第一取付状態における最大寸法Ｌ２は第二取付状態における最大寸法Ｌ３よりも長いので、第一取付状態では第二取付状態よりも調整部材６１をさらに下方に位置調整できる。このため、第二取付状態で調整部材６１を最下方まで位置調整しても、長辺６１２が既設下枠１２の室外部分にとどかないほどに、既設下枠１２の室内部分と室外部分との上下方向における段差が大きい場合であっても、第一取付状態とすることで、短辺６１３を既設下枠１２に当接できる。これにより、下枠支持金具５０を既設下枠１２上に設置できて新設下枠２２を支持でき、既設下枠１２の室内部分と室外部分との段差に対応して新設下枠２２を設置できる。
さらに、本実施形態では、以下の各効果を発揮できる。
（２）第一取付状態における取付片部５３の下辺５３２から短辺６１３までの最小寸法Ｌ４は、第二取付状態における取付片部５３の下辺５３２から長辺６１２までの最大寸法Ｌ３以下の寸法とされる。
このため、第一取付向きにおける調整部材６１の位置調整可能な範囲と第二取付向きにおける調整部材６１の位置調整可能な範囲との間から位置調整できない範囲をなくすことができる。このため、既設下枠１２の歪み等に対応して調整部材６１の第一取付向きと第二取付向きとを切替えても、当該既設下枠１２の歪み等に対応して調整部材６１を適切な上下位置に位置調整できる。
（３）取付片部５３には、取付ねじ５７が挿通する上下方向に沿った調整長孔５４Ａ，５４Ｂが形成され、調整部材６１には、取付ねじ５７が螺合する第一取付孔６３および第二取付孔６４が形成され、取付ねじ５７が調整長孔５４Ａ，５４Ｂを挿通して第一取付孔６３に螺合した状態では、調整部材６１は第一取付向きに配置され、取付ねじ５７が調整長孔５４Ａ，５４Ｂを挿通して第二取付孔６４に螺合した状態では、調整部材６１は第二取付向きに配置される。
このため、調整部材６１の第一取付孔６３および第二取付孔６４に螺合する取付ねじ５７を上下方向に沿った調整長孔５４Ａ，５４Ｂに挿通するので、取付ねじ５７を緩めた状態では、調整部材６１を第一取付向きまたは第二取付向きのままで取付片部５３に対して上下方向に位置調整できる。また、取付ねじ５７を締めた状態では、調整部材６１を取付片部５３に不動に固定できる。
（４）取付片部５３の上辺５３１および下辺５３２は平行であり、調整部材６１は矩形板状に形成され、調整部材６１の短辺６１３によって既設下枠１２に当接する第一当接辺が構成され、調整部材６１の長辺６１２によって既設下枠１２に当接する第二当接辺が構成される。
このため、第一取付向きでは調整部材６１の各短辺６１３，６１４が取付片部５３の上辺５３１および下辺５３２と平行に配置され、第二取付向きでは調整部材６１の各長辺６１１，６１２が取付片部５３の上辺５３１および下辺５３２と平行に配置される。このため、調整部材６１の短辺や長辺が取付片部５３の上辺５３１および下辺５３２に対して傾いて配置される場合と比べて、上下方向に沿って長く延びた調整長孔５４Ａ，５４Ｂを形成でき、調整部材６１の上下方向の位置調整範囲を拡げることができる。
また、第二取付向きでは調整部材６１の各長辺６１１，６１２が取付片部５３の上辺５３１および下辺５３２と平行に配置されるので、調整部材６１を調整長孔５４Ａ，５４Ｂに沿って上方に位置調整することで取付片部５３の下辺５３２よりも下方に突出させずに収めることができる。
（５）調整長孔５４Ａ，５４Ｂは、取付片部５３に二つ形成され、調整部材６１には、三つの螺合孔６２Ａ，６２Ｂ，６２Ｃが形成され、第一取付孔６３は、三つの螺合孔６２Ａ，６２Ｂ，６２Ｃのうち短辺６１３に平行な方向に沿って位置する二つの螺合孔６２Ａ，６２Ｂによって構成され、第二取付孔６４は、三つの螺合孔６２Ａ，６２Ｂ，６２Ｃのうち長辺６１２に平行な方向に沿って位置する二つの螺合孔６２Ｂ，６２Ｃによって構成され、第一取付孔６３および第二取付孔６４は、三つの螺合孔６２Ａ，６２Ｂ，６２Ｃのうちの一つの螺合孔６２Ｂを共用する。
このため、第一取付孔６３と第二取付孔６４とで螺合孔６２Ｂを共用することで、調整部材６１に形成される螺合孔の数を削減でき、孔加工を簡略化でき、また、調整部材６１の剛性を向上できる。
（６）支持部材５１の取付片部５３には、調整部材６１に固定されるドリルねじ５５が挿通可能な挿通孔５６が形成される。
このため、調整部材６１の位置調整後、ドリルねじ５５を取付片部５３の挿通孔５６に挿通して調整部材６１にねじ込むことで、調整部材６１を取付片部５３へ不動に固定できる。
（７）新設下枠２２には、既設下枠１２および下枠支持金具５０を室外側から覆うカバー材７２が取外し可能に取り付けられる。
このため、既設枠１０の内周側に新設枠２０が設置された後であっても、カバー材７２を新設下枠２２から取り外すことで、下枠支持金具５０を室外側に露出でき、下枠支持金具５０を操作して調整部材６１の取付向きの変更や位置調整を簡単に行うことができる。
【００４６】
［第３実施形態］
以下、本発明の第３実施形態を図面に基づいて説明する。
図７において、第３実施形態に係る改装サッシ１Ａは、既設枠１０Ａと、新設枠２０Ａおよび新設パネルによって構成される新設サッシ４Ａとを備えており、建物躯体２の開口部３への設置手順は第１実施形態と概略同様である。
【００４７】
新設サッシ４Ａは、引き違い窓によって構成されており、新設枠２０Ａ内には、二枚の新設パネルが左右方向に引き違い可能に配置されている。既設枠１０Ａは、既設上枠、既設下枠１２Ａおよび左右の既設縦枠を枠組みして構成されている。新設枠２０Ａは、新設上枠、新設下枠２２Ａおよび左右の新設縦枠を枠組みして構成されている。
新設下枠２２Ａは、新設下枠本体部２２５と、新設下枠本体部２２５の室外端部から垂下した見付け片部２２６とを有している。
【００４８】
改装サッシ１Ａの下部構造は、図８に示すように、既設下枠１２Ａと、新設下枠２２Ａと、調整金具８０とによって構成されており、新設下枠２２Ａには、調整金具８０を室外側から覆うカバー材７３が取り外し可能に取り付けられている。
調整金具８０は、図９に示すように、矩形板状の本体板部９１と、本体板部９１に段部９２（図９（Ｂ）参照）を介して連続した延出板部９３とを有している。図９（Ａ）において、延出板部９３は、本体板部９１の左側半分の位置から下方に延出しており、本体板部９１、段部９２および延出板部９３に連続した左側縁が第一当接辺８１とされており、延出板部９３の下縁が第二当接辺８２とされている。第一当接辺８１および第二当接辺８２の長手方向は互いに直交している。
【００４９】
本体板部９１には、調整長孔８３、第一固定孔８４および第二固定孔８５が形成されている。
【００５０】
調整長孔８３は、第一長孔部８３１と、第二長孔部８３２とによって構成されている。第一長孔部８３１および第二長孔部８３２は、本実施形態では互いに同じ長さである。第一長孔部８３１は、第一当接辺８１の長手方向に直交する方向、すなわち、第二当接辺８２の長手方向と同方向に沿って延びている。第二長孔部８３２は、第二当接辺８２の長手方向に直交する方向、すなわち、第一当接辺８１の長手方向と同方向に沿って延びている。
【００５１】
第一固定孔８４は、図９（Ａ）において第一長孔部８３１の右端側であって下方に配置されている。第二固定孔８５は、図９（Ａ）において第一長孔部８３１の左端および第二長孔部８３２の上端間に配置されている。第一固定孔８４および第一長孔部８３１間の間隔と、第二固定孔８５および第二長孔部８３２間の間隔とは互いに等しい。
ここで、図９（Ａ）に示す調整金具８０を９０度左回転させた状態における第一長孔部８３１および第一固定孔８４の位置関係は、当該回転前における第二長孔部８３２および第二固定孔８５の位置関係と概略同じである。従って、調整金具８０を後述する第一取付向き、第二取付向きのいずれに配置した場合であっても、取付ねじ５７および固定ねじ８６を同様に新設下枠２２Ａの見付け片部２２６に螺合し、ねじ込むことが可能である。
【００５２】
前述した調整金具８０は、第一当接辺８１が既設下枠１２Ａに当接する第一取付向き（図７（Ｂ）、図８（Ｂ）に示す取付向き）で新設下枠２２Ａの見付け片部２２６に上下方向に位置調整可能に取り付けられる第一取付状態と、第二当接辺８２が既設下枠１２Ａに当接する第二取付向き（図７（Ａ）、図８（Ａ）に示す取付向き）で見付け片部２２６に上下方向に位置調整可能に取り付けられる第二取付状態とを切替え可能である。
【００５３】
図８（Ａ）に示す調整金具８０の取付向き、すなわち、第二当接辺８２が既設下枠１２Ａに当接した第二取付向きでは、第二長孔部８３２に取付ねじ５７が挿通されて新設下枠２２Ａの見付け片部２２６に螺合される。このとき、第二固定孔８５は、第二長孔部８３２の上端と同じ高さ位置であって新設下枠２２Ａの見付け片部２２６に対向して位置している。この第二固定孔８５に固定ねじ８６が挿通されて見付け片部２２６にねじ込まれることによって、調整金具８０は新設下枠２２Ａに固定される。
【００５４】
また、図８（Ｂ）に示す調整金具８０の取付向き、すなわち、第一当接辺８１が既設下枠１２Ａに当接した第一取付向きでは、第一長孔部８３１に取付ねじ５７が挿通されて新設下枠２２Ａの見付け片部２２６に螺合される。このとき、第一固定孔８４は、第一長孔部８３１の上端と同じ高さ位置であって新設下枠２２Ａの見付け片部２２６に対向して位置する。この第一固定孔８４に固定ねじ８６が挿通されて見付け片部２２６にねじ込まれることによって、調整金具８０は新設下枠２２Ａに固定される。
【００５５】
第一取付状態における見付け片部２２６の下辺から調整金具８０の第一当接辺８１までの上下方向における最大寸法Ｌ５は、第二取付状態における見付け片部２２６の下辺から調整金具８０の第二当接辺８２までの上下方向における最大寸法Ｌ６よりも長い寸法とされる。
また、第一取付状態における見付け片部２２６の下片から第一当接辺８１までの上下方向における最小寸法（図示省略）は、前述した最大寸法Ｌ６以下の寸法とされる。
なお、最大寸法Ｌ５は、取付ねじ５７が第一長孔部８３１の上端に配置された状態における寸法である。最大寸法Ｌ６は、取付ねじ５７が第二長孔部８３２の上端に配置された状態における寸法である。また、第一取付状態における見付け片部２２６の下片から第一当接辺８１までの上下方向における最小寸法は、取付ねじ５７が第一長孔部８３１の下端に配置された状態における寸法である。第二取付状態における見付け片部２２６の下片から第二当接辺８２までの上下方向における最小寸法は、取付ねじ５７が第二長孔部８３２の下端に配置された状態における寸法である。
以上の調整金具８０は、新設下枠２２Ａに取り付けられ、かつ既設下枠１２Ａに当接することで、新設サッシ４Ａの鉛直荷重を支持する。
【００５６】
［第３実施形態の効果］
（１）第３実施形態では、改装サッシ１Ａは、建物躯体２に残存した既設枠１０Ａの内周側に新設枠２０Ａが設置されるものであって、新設枠２０Ａの新設下枠２２Ａには見付け片部２２６が形成され、見付け片部２２６には、調整金具８０が取り付けられ、調整金具８０は、その第一当接辺８１が既設枠１０Ａの既設下枠１２Ａに当接する第一取付向きで見付け片部２２６に上下方向に位置調整可能に取り付けられる第一取付状態と、当該調整金具８０の第二当接辺８２が既設下枠１２Ａに当接する第二取付向きで見付け片部２２６に上下方向に位置調整可能に取り付けられる第二取付状態とを切替え可能に構成され、第一取付状態における見付け片部２２６の下辺から第一当接辺８１までの最大寸法Ｌ５は、第二取付状態における見付け片部２２６の下辺から第二当接辺８２までの最大寸法Ｌ６よりも長い寸法とされることを特徴とする。
上記構成を有するため、調整金具８０の第一取付向きで新設下枠２２Ａの見付け片部２２６に取り付けた第一取付状態では、新設下枠２２Ａの見付け片部２２６の下辺から第一当接辺８１までの最大寸法分だけ調整金具８０を新設下枠２２Ａの見付け片部２２６から下方に位置調整できる。
一方、調整金具８０の第二取付向きで新設下枠２２Ａの見付け片部２２６に取り付けた第二取付状態では、新設下枠２２Ａの見付け片部２２６の下辺から第二当接辺８２までの最大寸法分だけ調整金具８０を新設下枠２２Ａの見付け片部２２６から下方に位置調整できる。
ここで、第一取付状態における最大寸法Ｌ５は第二取付状態における最大寸法Ｌ６よりも長いので、第一取付状態では第二取付状態よりも調整金具８０をさらに下方に位置調整できる。このため、第二取付状態で調整金具８０を最下方まで位置調整しても、第二当接辺８２が既設下枠１２Ａの室外部分にとどかないほどに、既設下枠１２Ａの室内部分と室外部分との上下方向における段差が大きい場合であっても、第一取付状態とすることで、第一当接辺８１を既設下枠１２Ａに当接できる。これにより、調整金具８０を既設下枠１２Ａ上に設置できて新設下枠２２Ａを支持でき、既設下枠１２Ａの室内部分と室外部分との段差に対応して新設下枠２２Ａを設置できる。
さらに、調整金具８０を新設下枠２２Ａの見付け片部２２６に取り付けるだけであるので、既設枠１０Ａの内周側に新設枠２０Ａを設置した後でも、調整金具８０の着脱や位置調整を行うことができる。
（２）調整金具８０には、第一当接辺８１に直交する方向に沿った第一長孔部８３１と、第二当接辺８２に直交する方向に沿った第二長孔部８３２とが形成されている。
このため、第一長孔部８３１または第二長孔部８３２に取付ねじ５７を挿通して新設下枠２２Ａの見付け片部２２６にねじ込むことで、調整金具８０を第一取付向きまたは第二取付向きで上下方向に位置調整可能に取り付けることができる。
（３）新設下枠２２Ａには、調整金具８０を室外側から覆うカバー材７３が取外し可能に取り付けられる。
このため、既設枠１０Ａの内周側に新設枠２０Ａが設置された後であっても、カバー材７３を新設下枠２２Ａから取り外すことで、調整金具８０を室外側に露出でき、この調整金具８０の取付向きの変更や位置調整を簡単に行うことができる。
【００５７】
［変形例］
本発明は、以上の実施形態で説明した構成のものに限定されず、本発明の目的を達成できる範囲での変形例は、本発明に含まれる。
例えば、前記実施形態では、調整部材６１の第一取付状態における取付片部５３の下辺５３２から第一当接辺である短辺６１３までの最小寸法Ｌ４は、第二取付状態における取付片部５３の下辺から第二当接辺である長辺６１２までの最大寸法Ｌ３以下の寸法とされているが、これに限られず、最大寸法Ｌ３よりも大きな寸法とされてもよい。この場合でも、窓種に応じて調整部材６１の取付向きを選択でき、第一取付向きや第二取付向きに配置した状態における位置調整範囲内で調整部材６１を位置調整できる。
【００５８】
前記実施形態では、支持部材５１の取付片部５３には、上下方向に沿った調整長孔５４Ａ，５４Ｂが形成されているが、これに限られず、例えば下辺５３２で開口した調整スリットが上下方向に沿って形成されていてもよい。
【００５９】
前記実施形態では、調整部材６１は矩形板状に形成されているが、これに限られず、既設下枠１２に当接可能な二つの当接辺（第一当接辺、第二当接辺）を有する各種形状であってもよい。
【００６０】
前記実施形態では、第一取付孔６３および第二取付孔６４は、螺合孔６２Ｂを共用しているが、これに限られず、螺合孔６２Ｂの代わりに二つの螺合孔を形成し、一方の螺合孔を第一取付孔６３専用とし、他方の螺合孔を第二取付孔６４専用としてもよい。
【００６１】
前記実施形態では、支持部材５１の取付片部５３には挿通孔５６が形成され、ドリルねじ５５が挿通孔５６に挿通されて調整部材６１にねじ込まれる構成とされているが、これに限られず、挿通孔５６およびドリルねじ５５の構成を省略してもよい。この場合、調整部材６１の取付片部５３への取付けは取付ねじ５７によって行われる。
また、ドリルねじ５５によって調整部材６１を取付片部５３に固定する場合には、取付ねじ５７の構成を省略し、その代わりに、調整長孔５４Ａ，５４Ｂにガイドされるガイドピン（図示省略）を調整部材６１に植設してもよい。このガイドピンは、調整部材６１の取付向きに応じて第一取付孔６３または第二取付孔６４に取り付けられる。
【００６２】
前記実施形態では、カバー材７２が新設下枠２２に取外し可能に取り付けられているが、これに限られず、着脱可能とせずに固定してもよく、また、カバー材７２の構成を省略してもよい。
また、ドリルねじ５５に限らず調整部材６１を取付片部５３に固定できるものであればよく、例えばリベット等で固定してもよい。
【００６３】
前記第３実施形態では、第一長孔部８３１および第二長孔部８３２が分かれて形成されているが、これに限られず、例えば第一長孔部８３１および第二長孔部８３２が連続して形成され、略Ｌ字形状の調整長孔を構成してもよい。
【符号の説明】
【００６４】
１，１Ａ…改装サッシ、１０，１０Ａ…既設枠、１２，１２Ａ…既設下枠、２…建物躯体、２０，２０Ａ…新設枠、２２，２２Ａ…新設下枠、３…開口部、４，４Ａ…新設サッシ、５０…下枠支持金具、５１…支持部材、５２，２２１…見込み片部、５２１…固定孔、５３…取付片部、５３１…上辺、５３２…下辺、５３３，５３４…縦辺、５４Ａ，５４Ｂ…調整長孔、５５…ドリルねじ、５６…挿通孔、５７…取付ねじ、６１…調整部材、６１１，６１２…長辺、６１３，６１４…短辺、６２Ａ，６２Ｂ，６２Ｃ…螺合孔、６３…第一取付孔、６４…第二取付孔、７１…カバー取付部材、７２，７３…カバー材、８０…調整金具、８３…調整長孔、８３１…第一長孔部、８３２…第二長孔部、８４…第一固定孔、８５…第二固定孔、９，８６…固定ねじ、９１…本体板部、９２…段部、９３…延出板部、Ｌ１…長さ寸法、Ｌ２，Ｌ３，Ｌ５，Ｌ６…最大寸法、Ｌ４…最小寸法。
【図１】
0006756642.tif 000002
【図２】
0006756642.tif 000003
【図３】
0006756642.tif 000004
【図４】
0006756642.tif 000005
【図５】
0006756642.tif 000006
【図６】
0006756642.tif 000007
【図７】
0006756642.tif 000008
【図８】
0006756642.tif 000009
【図９】
0006756642.tif 000010